【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
電子写真画像形成装置本体に着脱可能なプロセスカートリッジであって、
電子写真感光体ドラムと、
前記電子写真感光体ドラムに形成された静電潜像を現像する現像ローラと、
前記電子写真感光体ドラムを支持するドラムフレームと、
前記現像ローラを支持する現像フレームであって、前記現像ローラが前記電子写真感光体ドラムと接触する接触位置と、前記現像ローラが前記電子写真感光体ドラムと離間する離間位置と、をとり得るように前記ドラムフレームに対して回転中心を中心に回転可能な現像フレームと、
前記プロセスカートリッジが前記装置本体に進入した状態で、前記装置本体から第１の外力を受ける第１力受け部と、前記現像フレームに対して動作位置と、前記動作位置よりも引っ込んだ待機位置と、に移動可能で、前記第１力受け部が前記第１の外力を受けて移動することによって、前記待機位置から移動する第２力受け部と、を備える力受け装置であって、前記動作位置における前記第２力受け部は、前記待機位置よりも前記回転中心から離れた位置まで移動して、前記装置本体から第２の外力を受けることによって、前記現像フレームを前記接触位置から前記離間位置へ移動させる力受け装置と、
を有することを特徴とするプロセスカートリッジ。
【請求項２】
前記プロセスカートリッジは、前記第２力受け部を前記待機位置に位置させる方向に付勢する付勢手段を有することを特徴とする請求項１に記載のプロセスカートリッジ。
【請求項３】
前記力受け装置は、前記現像フレームに設けられていることを特徴とする請求項１又は２に記載のプロセスカートリッジ。
【請求項４】
前記第１力受け部は、前記ドラムフレームに設けられ、前記第２力受け部は、前記現像フレームに設けられていることを特徴とする請求項１又は２に記載のプロセスカートリッジ。
【請求項５】
前記第１力受け部と前記第２力受け部は一体で構成されていることを特徴とする請求項１に記載のプロセスカートリッジ。
【請求項６】
前記ドラムフレームは、カバー部材を介して前記電子写真感光体ドラムを回転可能に支持する請求項１乃至５のいずれか１項に記載のプロセスカートリッジ。
【請求項７】
前記現像フレームは、軸受けを介して前記現像ローラを回転可能に支持する請求項１乃至５のいずれか１項に記載のプロセスカートリッジ。
【請求項８】
記録媒体に画像を形成する電子写真画像形成装置であって、
（ａ）装着手段と
（ｂ）前記装着手段に取り外し可能に装着されたプロセスカートリッジであって、
電子写真感光体ドラムと、
前記電子写真感光体ドラムに形成された静電潜像を現像する現像ローラと、
前記電子写真感光体ドラムを支持するドラムフレームと、
前記現像ローラを支持する現像フレームであって、前記現像ローラが前記電子写真感光体ドラムと接触する接触位置と、前記現像ローラが前記電子写真感光体ドラムと離間する離間位置と、をとり得るように前記ドラムフレームに対して回転中心を中心に回転可能な現像フレームと、
前記プロセスカートリッジが前記電子写真画像形成装置の装置本体に進入した状態で、前記装置本体から第１の外力を受ける第１力受け部と、前記現像フレームに対して動作位置と、前記動作位置よりも引っ込んだ待機位置と、に移動可能で、前記第１力受け部が前記第１の外力を受けて移動することによって、前記待機位置から移動する第２力受け部と、を備える力受け装置であって、前記動作位置における前記第２力受け部は、前記待機位置よりも前記回転中心から離れた位置まで移動して、前記装置本体から第２の外力を受けることによって、前記現像フレームを前記接触位置から前記離間位置へ移動させる力受け装置と、
を有するプロセスカートリッジと、
（ｃ）前記記録媒体を搬送する搬送手段と、
を有することを特徴とする電子写真画像形成装置。
【請求項９】
更に、前記電子写真画像形成装置は、
前記装置本体の内側の装着位置と、前記装着位置から引き出された、前記プロセスカートリッジを着脱可能な引き出し位置と、をとり得る引き出し部材を有することを特徴とする請求項８に記載の電子写真画像形成装置。
【請求項１０】
前記引き出し部材は、複数の前記プロセスカートリッジを着脱可能であることを特徴とする請求項９に記載の電子写真画像形成装置。
【手続補正２】
【補正対象書類名】明細書
【補正対象項目名】０００７
【補正方法】変更
【補正の内容】
【０００７】
従来例において、現像ローラと感光体ドラムとを離間するために現像ローラを支持する現像ユニットを移動させるための力受け部は、現像ユニットの外形から突出している。そのため、ユーザーがプロセスカートリッジを取り扱う際や、プロセスカートリッジを単体で輸送する際に、力受け部がダメージを受けやすい構成であった。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明の目的は、電子写真感光体ドラムと現像ローラとが接触離間可能なプロセスカートリッジを取り扱う際や、プロセスカートリッジを単体で輸送する際に、現像ローラを支持する現像フレームを移動させるための力受け部がダメージを受けにくい構成のプロセスカートリッジを提供することにある。また、本発明の他の目的は、現像ローラと感光体ドラムとを離間するための駆動トルクを小さくすることが可能なプロセスカートリッジを提供することにある。
【手続補正５】
【補正対象書類名】明細書
【補正対象項目名】００１０
【補正方法】変更
【補正の内容】
【００１０】
上記目的を達成するための代表的な構成は、電子写真画像形成装置本体に着脱可能なプロセスカートリッジであって、
電子写真感光体ドラムと、
前記電子写真感光体ドラムに形成された静電潜像を現像する現像ローラと、
前記電子写真感光体ドラムを支持するドラムフレームと、
前記現像ローラを支持する現像フレームであって、前記現像ローラが前記電子写真感光体ドラムと接触する接触位置と、前記現像ローラが前記電子写真感光体ドラムと離間する離間位置と、をとり得るように前記ドラムフレームに対して回転中心を中心に回転可能な現像フレームと、
前記プロセスカートリッジが前記装置本体に進入した状態で、前記装置本体から第１の外力を受ける第１力受け部と、前記現像フレームに対して動作位置と、前記動作位置よりも引っ込んだ待機位置と、に移動可能で、前記第１力受け部が前記第１の外力を受けて移動することによって、前記待機位置から移動する第２力受け部と、を備える力受け装置であって、前記動作位置における前記第２力受け部は、前記待機位置よりも前記回転中心から離れた位置まで移動して、前記装置本体から第２の外力を受けることによって、前記現像フレームを前記接触位置から前記離間位置へ移動させる力受け装置と、
を有することを特徴とする。
【手続補正６】
【補正対象書類名】明細書
【補正対象項目名】００１１
【補正方法】変更
【補正の内容】
【００１１】
また、上記目的を達成するための他の代表的な構成は、記録媒体に画像を形成する電子写真画像形成装置であって、
（ａ）装着手段と
（ｂ）前記装着手段に取り外し可能に装着されたプロセスカートリッジであって、
電子写真感光体ドラムと、
前記電子写真感光体ドラムに形成された静電潜像を現像する現像ローラと、
前記電子写真感光体ドラムを支持するドラムフレームと、
前記現像ローラを支持する現像フレームであって、前記現像ローラが前記電子写真感光体ドラムと接触する接触位置と、前記現像ローラが前記電子写真感光体ドラムと離間する離間位置と、をとり得るように前記ドラムフレームに対して回転中心を中心に回転可能な現像フレームと、
前記プロセスカートリッジが前記電子写真画像形成装置の装置本体に進入した状態で、前記装置本体から第１の外力を受ける第１力受け部と、前記現像フレームに対して動作位置と、前記動作位置よりも引っ込んだ待機位置と、に移動可能で、前記第１力受け部が前記第１の外力を受けて移動することによって、前記待機位置から移動する第２力受け部と、を備える力受け装置であって、前記動作位置における前記第２力受け部は、前記待機位置よりも前記回転中心から離れた位置まで移動して、前記装置本体から第２の外力を受けることによって、前記現像フレームを前記接触位置から前記離間位置へ移動させる力受け装置と、
を有するプロセスカートリッジと、
（ｃ）前記記録媒体を搬送する搬送手段と、
を有することを特徴とする。
【手続補正７】
【補正対象書類名】明細書
【補正対象項目名】００１２
【補正方法】変更
【補正の内容】
【００１２】
本発明によれば、
プロセスカートリッジを取り扱う際や、前記プロセスカートリッジを単体で輸送する際に、現像ローラを支持する現像フレームを移動させるための力受け部がダメージを受けにくい構成にすることができる。さらに、現像ローラと感光体ドラムとを離間するための駆動トルクを小さくすることことができる。
【手続補正８】
【補正対象書類名】明細書
【補正対象項目名】００４７
【補正方法】変更
【補正の内容】
【００４７】
また、カートリッジ５０ｍは、進入方向においてカートリッジトレイ１３に下流側から二番目に装着されている。そして、カートリッジ５０ｍは、カートリッジ５０ｃ、５０ｋに作用する各第１力付与部材６１ｋ，６１ｃ、第２力付与部材６０の各係合リブ６０ｋ，６０ｃの下方を上流側から下流側に向かって通過することになる。
【手続補正９】
【補正対象書類名】明細書
【補正対象項目名】００８９
【補正方法】変更
【補正の内容】
【００８９】
以上説明したように、本実施の形態においても、第２力受け部材４７０を、カートリッジ４５０ｙ，４５０ｍ，４５０ｃ、４５０ｋが装置本体４０１内に装着され、ドア４１２が閉じ位置に移動した際に、現像ユニット４４１から外方に突出させるように構成した。したがって、カートリッジ４５０ｙ，４５０ｍ，４５０ｃ、４５０ｋを小さく構成することができる。また、第２力受け部材４７０が待機位置にある状態で装着されるので、カートリッジ４５０ｙ，４５０ｍ，４５０ｃ、４５０ｋの進入させるために必要な空間の領域は小さくて済む。即ち、開口４０８の大きさを小さくすることができ、また、第１力付与部材４６１、第２力付与部材４６０をカートリッジ４５０ｙ，４５０ｍ，４５０ｃ、４５０ｋに近づけることができる。したがって鉛直方向に装置本体４０１を小型化することができる。また、装置本体４０１を鉛直方向から見た際に、ドラム軸線方向において力受け装置９０と第１力付与部材６１、第２力付与部材６０とはオーバーラップする位置に設けられるため、カートリッジの長手方向の小型化をすることが可能になる。